(57)【要約】【課題】動画の再生中の時間の経過に応じて、ユーザの興味が最も高くなったと考えられる効果的なタイミングで広告を配信できるサーバ装置を提供すること。【解決手段】再生時間の経過に伴って変化する当該動画の内容に関連する複数のキーワードを再生時間に関連付けて記憶する動画ＤＢ２１と、複数の広告を配信指定キーワードに関連付けてそれぞれ記憶する広告ＤＢ２２と、動画の再生時間の経過に応じて、複数のキーワード毎の繰り返し回数をそれぞれ累積計算して得られる累積関連度を算出する累積関連度算出手段１１１と、動画の再生時間の経過に応じて、累積関連度を微分して得られる関連度上昇率を算出する上昇率算出手段１１２と、動画の再生において、関連度上昇率が低下し始めた後に、関連度上昇率が低下し始めたキーワードに関連度の高い配信指定キーワードに関連付けられた広告を挿入してユーザ端末５に配信する動画・広告配信手段１２５と、を備えた。【選択図】図１
2011034481.tif 000002
【特許請求の範囲】
【請求項１】
ユーザ端末に、ネットワーク配信可能な動画及び広告を配信するサーバ装置であって、
再生時間の経過に伴って変化する当該動画の内容に関連する複数のキーワードを当該再生時間に関連付けて記憶する動画記憶手段と、
複数の広告を配信指定キーワードに関連付けてそれぞれ記憶する広告記憶手段と、
前記動画の再生時間の経過に応じて、前記複数のキーワード毎の繰り返し回数をそれぞれ累積計算して得られる累積関連度を算出する累積関連度算出手段と、
前記動画の再生時間の経過に応じて、前記累積関連度を微分して得られる関連度上昇率を算出する上昇率算出手段と、
前記動画の再生において、前記関連度上昇率が低下し始めた後に、前記関連度上昇率が低下し始めた前記キーワードに関連度の高い前記配信指定キーワードに関連付けられた前記広告を挿入して前記ユーザ端末に配信する配信手段と、を備えるサーバ装置。
【請求項２】
前記広告記憶手段は、更に、関連度の閾値の指定を前記配信指定キーワード毎に記憶し、
前記配信手段は、前記動画の再生において、前記キーワードの前記累積関連度が、前記配信指定キーワードの閾値に基づいて計算した前記累積関連度の閾値を超え、かつ前記関連度上昇率が低下し始めた後に、前記関連度上昇率が低下し始めた前記キーワードに関連度の高い配信指定キーワードに関連付けられた前記広告を挿入して前記ユーザ端末に配信することを特徴とする請求項１に記載のサーバ装置。
【請求項３】
前記ユーザ端末の属性あるいはユーザの属性を記憶する属性記憶手段を更に備え、
前記配信手段は、前記関連度上昇率に係る条件に合致する前記広告がない場合に、前記属性記憶手段が記憶した前記ユーザ端末あるいは前記ユーザの属性に関連する属性関連広告を前記ユーザ端末に配信する請求項１または２に記載のサーバ装置。
【請求項４】
前記配信手段は、前記再生時間の経過に応じて、前記複数のキーワード毎の前記累積関連度を互いに比較し、前記関連度上昇率に係る条件に合致する前記広告が複数存在する場合に、前記累積関連度がより高いキーワードに関連度の高い配信指定キーワードに関連付けられた前記広告を前記ユーザ端末に配信することを特徴とする請求項１から３のいずれかに記載のサーバ装置。
【請求項５】
コンピュータが、ユーザ端末に、ネットワーク配信可能な動画及び広告を配信する方法であって、
再生時間の経過に伴って変化する当該動画の内容に関連する複数のキーワードを当該再生時間に関連付けて記憶する動画記憶ステップと、
複数の広告を配信指定キーワードに関連付けてそれぞれ記憶する広告記憶ステップと、
前記動画の再生時間の経過に応じて、前記複数のキーワード毎の繰り返し回数をそれぞれ累積計算して得られる累積関連度を算出する累積関連度算出ステップと、
前記動画の再生時間の経過に応じて、前記累積関連度を微分して得られる関連度上昇率を算出する上昇率算出ステップと、
前記動画の再生において、前記関連度上昇率が低下し始めた後に、前記関連度上昇率が低下し始めた前記キーワードに関連度の高い前記配信指定キーワードに関連付けられた前記広告を挿入して前記ユーザ端末に配信する配信ステップと、を含む動画及び広告を配信する方法。
【発明の詳細な説明】
【技術分野】
【０００１】
本発明は、広告を配信するサーバ装置、及び方法に関する。特に、ネットワーク配信可能な動画及び広告を配信するサーバ装置、及び方法に関する。
【背景技術】
【０００２】
従来より、ネットワークを介して、ユーザの端末に動画、及びこの動画と関連する広告を併せて配信する技術が知られている。このような技術によれば、ユーザの嗜好により端末で受信している動画と関連する広告を配信できるので、広告効果を向上できる。
また、動画の再生内容と広告を表示する時刻を調整する技術が知られている。
【０００３】
例えば、このような技術として、動画像において商品が表示される時刻を経過した後に、当該商品の広告を表示させる情報提供装置が提案されている（特許文献１参照）。
この特許文献１の情報提供装置によれば、動画像として表示された商品にユーザが興味を持ったと予想される時点から、商品の広告を表示できる。
【先行技術文献】
【特許文献】
【０００４】
【特許文献１】特開２００８−３０５２１７号公報
【発明の概要】
【発明が解決しようとする課題】
【０００５】
ところで、動画コンテンツはテキストや静止画のコンテンツと異なり、時間の経過とともに画像や音声の内容が変化していくものである。すなわち、動画では、例えば、所定の商品が動画コンテンツの中で複数回登場することがあり、所定のキーワードが何度も表示されることもある。また、動画の再生時間に関連付けて記憶された所定のメタタグが複数の場面で複数回登場することがある。
しかしながら、特許文献１の情報提供装置では、このような動画コンテンツの特性を利用し、再生中の時間の経過とともに変化する内容やキーワードの出現状況を考慮して広告を配信するタイミングを決定することはできない。
【０００６】
そこで、本発明は、動画の再生中の時間の経過に応じて、ユーザの興味が最も高くなったと考えられる効果的なタイミングで広告を配信できるサーバ装置を提供することを目的とする。
【課題を解決するための手段】
【０００７】
本発明は、具体的には次のようなものを提供する。
【０００８】
（１）  ユーザ端末に、ネットワーク配信可能な動画及び広告を配信するサーバ装置であって、再生時間の経過に伴って変化する当該動画の内容に関連する複数のキーワードを当該再生時間に関連付けて記憶する動画記憶手段と、複数の広告を配信指定キーワードに関連付けてそれぞれ記憶する広告記憶手段と、前記動画の再生時間の経過に応じて、前記複数のキーワード毎の繰り返し回数をそれぞれ累積計算して得られる累積関連度を算出する累積関連度算出手段と、前記動画の再生時間の経過に応じて、前記累積関連度を微分して得られる関連度上昇率を算出する上昇率算出手段と、前記動画の再生において、前記関連度上昇率が低下し始めた後に、前記関連度上昇率が低下し始めた前記キーワードに関連度の高い前記配信指定キーワードに関連付けられた前記広告を挿入して前記ユーザ端末に配信する配信手段と、を備えるサーバ装置。
【０００９】
（１）のサーバ装置によれば、再生時間の経過に伴って変化する当該動画の内容に関連する複数のキーワードを当該再生時間に関連付けて記憶し、複数の広告を配信指定キーワードに関連付けてそれぞれ記憶し、動画の再生時間の経過に応じて、複数のキーワード毎の繰り返し回数をそれぞれ累積計算して得られる累積関連度を算出し、動画の再生時間の経過に応じて、累積関連度を微分して得られる関連度上昇率を算出できる。
そして、動画の再生において、関連度上昇率が低下し始めた後に、関連度上昇率が低下し始めたキーワードに関連度の高い配信指定キーワードに関連付けられた広告を挿入してユーザ端末に配信できる。
これにより、動画再生の状況に応じてキーワードの関連度上昇率が下がり始めた最適のタイミングにおいて、このキーワードに関連度の高い配信指定キーワードに関連付けられた広告を配信できる。
よって、動画の再生中の時間の経過に応じて、ユーザの興味が最も高くなったと考えられる効果的なタイミングで広告を配信できるサーバ装置を提供できる。
【００１０】
（２）  （１）に記載のサーバ装置であって、前記広告記憶手段は、更に、関連度の閾値の指定を前記配信指定キーワード毎に記憶し、前記配信手段は、前記動画の再生において、前記キーワードの前記累積関連度が、前記配信指定キーワードの閾値に基づいて計算した前記累積関連度の閾値を超え、かつ前記関連度上昇率が低下し始めた後に、前記関連度上昇率が低下し始めた前記キーワードに関連度の高い配信指定キーワードに関連付けられた前記広告を挿入して前記ユーザ端末に配信することを特徴とする。
【００１１】
（２）のサーバ装置によれば、関連度の閾値の指定を配信指定キーワード毎に記憶できる。そして、動画の再生において、キーワードの累積関連度が、配信指定キーワードの閾値に基づいて計算した累積関連度の閾値を超え、かつ関連度上昇率が低下し始めた後に、関連度上昇率が低下し始めたキーワードに関連度の高い配信指定キーワードに関連付けられた広告を挿入してユーザ端末に配信できる。
これにより、動画再生の状況に応じてキーワードの累積関連度が、配信指定キーワードの閾値に基づいて計算した累積関連度の閾値を超え、かつ関連度上昇率が下がり始めた最適のタイミングにおいて、このキーワードに関連度の高い配信指定キーワードに関連付けられた広告を配信することができる。
よって、動画の再生中の時間の経過に応じて、ユーザの興味が最も高くなったと考えられる、より効果的なタイミングで広告を配信できるサーバ装置を提供できる。
【００１２】
（３）  （１）または（２）に記載のサーバ装置であって、前記ユーザ端末の属性あるいはユーザの属性を記憶する属性記憶手段を更に備え、前記配信手段は、前記関連度上昇率に係る条件に合致する前記広告がない場合に、前記属性記憶手段が記憶した前記ユーザ端末あるいは前記ユーザの属性に関連する属性関連広告を前記ユーザ端末に配信することを特徴とする。
【００１３】
（３）のサーバ装置によれば、ユーザ端末の属性あるいはユーザの属性を記憶できる。そして、関連度上昇率に係る条件に合致する広告がない場合に、ユーザ端末あるいはユーザの属性に関連する属性関連広告をユーザ端末に配信できる。
これにより、動画再生の状況に応じてキーワードの関連度上昇率が下がり始めた最適のタイミングの前には、ユーザ端末あるいはユーザの属性に関連する広告を配信することができる。
よって、動画の再生中の時間の経過に応じて、ユーザの興味が最も高くなったと考えられる効果的なタイミングで、各ユーザに適した広告を配信できるサーバ装置を提供できる。
【００１４】
（４）  （１）から（３）のいずれかに記載のサーバ装置であって、前記配信手段は、前記再生時間の経過に応じて、前記複数のキーワード毎の前記累積関連度を互いに比較し、前記関連度上昇率に係る条件に合致する前記広告が複数存在する場合に、前記累積関連度がより高いキーワードに関連度の高い配信指定キーワードに関連付けられた前記広告を前記ユーザ端末に配信することを特徴とする。
【００１５】
（４）のサーバ装置によれば、再生時間の経過に応じて、複数のキーワード毎の累積関連度を互いに比較し、関連度上昇率に係る条件に合致する広告が複数存在する場合に、累積関連度がより高いキーワードに関連度の高い配信指定キーワードに関連付けられた広告をユーザ端末に配信できる。
これにより、複数のキーワードが関連度上昇率に係る条件に合致した場合に、累積関連度がより高いキーワードに関連度の高い配信指定キーワードに関連付けられた広告を優先して配信することができる。
よって、動画の再生中の時間の経過に応じて、ユーザの興味が最も高くなったと考えられる効果的なタイミングで、より適した広告を配信できるサーバ装置を提供できる。
【００１６】
（５）  コンピュータが、ユーザ端末に、ネットワーク配信可能な動画及び広告を配信する方法であって、再生時間の経過に伴って変化する当該動画の内容に関連する複数のキーワードを当該再生時間に関連付けて記憶する動画記憶ステップと、複数の広告を配信指定キーワードに関連付けてそれぞれ記憶する広告記憶ステップと、前記動画の再生時間の経過に応じて、前記複数のキーワード毎の繰り返し回数をそれぞれ累積計算して得られる累積関連度を算出する累積関連度算出ステップと、前記動画の再生時間の経過に応じて、前記累積関連度を微分して得られる関連度上昇率を算出する上昇率算出ステップと、前記動画の再生において、前記関連度上昇率が低下し始めた後に、前記関連度上昇率が低下し始めた前記キーワードに関連度の高い前記配信指定キーワードに関連付けられた前記広告を挿入して前記ユーザ端末に配信する配信ステップと、を含む動画及び広告を配信する方法。
【００１７】
本発明のこのような構成によれば、（１）に記載の発明と同様の効果を奏する方法を提供できる。
【発明の効果】
【００１８】
本発明によれば、動画の再生中の時間の経過に応じて、ユーザの興味が最も高くなったと考えられる効果的なタイミングで広告を配信できるサーバ装置を提供できる。
【図面の簡単な説明】
【００１９】
【図１】本実施形態に係る画・広告配信システム及び動画・広告配信サーバの全体構成の機能構成を示す図である。
【図２】本実施形態に係る記憶部に格納された動画ＤＢを示す図である。
【図３】本実施形態に係る記憶部に格納された広告ＤＢを示す図である。
【図４】本実施形態に係る記憶部に格納された広告挿入動画ＤＢを示す図である。
【図５】本実施形態に係る記憶部に格納されたユーザ属性ＤＢを示す図である。
【図６】本実施形態に係る制御部による動画・広告配信処理を示すフローチャートである。
【図７】本実施形態に係る制御部による広告決定処理のサブフローを示すフローチャートである。
【図８】本実施形態に係る累積関連度と関連度上昇率の説明図である。
【図９】本実施形態に係る広告挿入ロジックの説明図である。
【発明を実施するための形態】
【００２０】
以下に、本発明の実施形態を図面に基づいて詳細に説明する。なお、以下の実施形態の説明にあたって、同一構成要件については同一符号を付し、その説明を省略もしくは簡略化する。
【００２１】
［動画・広告配信システム１００及び動画・広告配信サーバ１の機能構成］
図１は、本実施形態に係る動画・広告配信システム１００及び動画・広告配信サーバ１の全体構成の機能構成を示す図である。
【００２２】
動画・広告配信システム１００は、動画・広告配信サーバ１と、通信ネットワーク３と、ユーザ端末５とにより構成される。図１に示すように、インターネット等の通信回線に代表される通信ネットワーク３を介して、動画・広告配信サーバ１と、ユーザ端末５とが通信可能に接続されている。ユーザ端末５は、通信ネットワーク３を介して、動画・広告配信サーバ１より配信された動画及び広告を受信し、固有のユーザＩＤを有するユーザにより操作されて当該動画及び広告を再生する。
【００２３】
動画・広告配信サーバ１は、制御部１０と、制御部１０と双方向に通信可能な記憶部２０とを備える。
動画・広告配信サーバ１及びユーザ端末５は、ハードウェアの数に制限はなく、必要に応じて１または複数のハードウェアで構成してよい。また、複数のハードウェアで構成する場合には、通信ネットワーク３を介して各ハードウェアを接続してもよい。例えば、後述する各機能毎に別サーバ（装置）とし、各サーバ間での信号の送受信により、各サーバを連携させることで、本実施形態の機能を実現してもよい。
【００２４】
〈制御部１０の機能構成〉
制御部１０は、演算部１１と、配信部１２と、を備える。
（演算部１１）
演算部１１は、累積関連度算出手段１１１と、上昇率算出手段１１２と、を備える。
【００２５】
累積関連度算出手段１１１は、後述の動画ＤＢ２１に記憶された動画の再生時間の経過に応じて、複数のキーワード毎の繰り返し回数をそれぞれ累積計算して得られる累積関連度（例えば、図８のグラフ曲線１１１ａ，１１１ｂ）を算出する。累積関連度算出手段１１１は、再生されたキーワード間を補完し、連続的に累積計算を行うが、これに限らず、例えば１秒毎に、離散的なタイミングで繰り返し回数を累積し、累積計算を行うことができる。
上昇率算出手段１１２は、後述の動画ＤＢ２１に記憶された動画の再生時間の経過に応じて、累積関連度算出手段１１１により算出された当該動画の累積関連度を微分して得られる関連度上昇率（例えば、図８の傾き線１１２ａ〜１１２ｄ）を算出する。
【００２６】
（配信部１２）
配信部１２は、累積関連度の閾値判定手段１２１と、関連度上昇率判定手段１２２と、広告決定手段１２３と、広告挿入手段１２４と、動画・広告配信手段１２５と、を備える。
【００２７】
累積関連度の閾値判定手段１２１は、広告主または広告配信業者が配信を希望するキーワードを配信指定キーワードとして受付ける指定キーワード受付手段と、この配信指定キーワードについての閾値を受付ける閾値受付手段と、閾値受付手段で受付けた配信指定キーワードの閾値に基づいて計算される累積関連度の閾値を決定する累積関連度閾値決定手段と、後述の動画ＤＢ２１に記憶された動画の再生において、累積関連度算出手段１１１によって算出されたキーワードの累積関連度が、累積関連度閾値決定手段で決定した累積関連度の閾値を超えたか否かを判定する判定手段と、を備える。
【００２８】
関連度上昇率判定手段１２２は、後述の動画ＤＢ２１に記憶された動画の再生時間の経過に応じ、各キーワードについて、上昇率算出手段１１２に算出された関連度上昇率が低下し始めたか否かを判定する。
【００２９】
広告決定手段１２３は、累積関連度の閾値判定手段１２１及び関連度上昇率判定手段１２２の判定結果に基づき、挿入する広告を決定する。具体的には、後述の動画ＤＢ２１に記憶された動画の再生時間の経過に応じ、累積関連度の閾値を超え、かつ関連度上昇率が低下し始めたキーワードに関連度の高い配信指定キーワードに関連付けられた広告を挿入する広告として決定する。
【００３０】
また、広告決定手段１２３は、累積関連度の閾値を超えていない場合は、ユーザ端末５あるいはユーザの属性に関連する属性関連広告を挿入する広告として決定する。
【００３１】
更に、広告決定手段１２３は、後述の動画ＤＢ２１に記憶された動画の再生時間の経過に応じて、複数のキーワード毎の累積関連度を互いに比較し、関連度上昇率に係る条件に合致する広告が複数存在する場合に、累積関連度がより高いキーワードに関連度の高い配信指定キーワードに関連付けられた広告を挿入する広告として決定する。
【００３２】
広告挿入手段１２４は、予め広告開始時間と広告終了時間が定められた広告枠に、広告決定手段１２３で決定した広告を挿入し、後述の広告挿入動画ＤＢ２３に記憶する。
【００３３】
動画・広告配信手段１２５は、ユーザ端末５の要求に基づき、後述の広告挿入動画ＤＢ２３を参照し、広告挿入動画を当該ユーザ端末５に配信する。
【００３４】
〈記憶部２０の機能構成〉
記憶部２０は、動画データベース（以下、データベースをＤＢともいう）２１と、広告ＤＢ２２と、広告挿入動画ＤＢ２３と、ユーザ属性ＤＢ２４と、を備える。
【００３５】
動画ＤＢ２１には、動画ＩＤと動画に、この動画の再生時間の経過に伴って変化する当該動画の内容に関連する複数のキーワードを当該再生時間に関連付けて記憶されている。具体的には、動画ＤＢ２１では、各キーワードに、関連度上昇率判定手段１２２が関連度上昇率が低下し始めたと判定した時点である転向点と、累積関連度閾値決定手段により決定された累積関連度の閾値とが対応付けられ記憶されている（図２参照）。
【００３６】
広告ＤＢ２２には、複数の広告を配信指定キーワードに関連付けてそれぞれ記憶されている。具体的には、広告ＩＤと広告ＵＲＬに、配信指定キーワードと、閾値受付手段で受付けた閾値が対応づけられ記憶されている（図３参照）。
【００３７】
広告挿入動画ＤＢ２３には、動画ＩＤと動画に、広告枠と、この広告枠に挿入される広告決定手段１２３で決定した広告の広告ＵＲＬが対応づけられ記憶されている（図４参照）。
【００３８】
ユーザ属性ＤＢ２４には、ユーザ端末の属性あるいはユーザの属性が記憶されている。具体的には、ユーザ属性ＩＤに、各ユーザの属性に関連する属性関連広告ＵＲＬが対応づけられ記憶されている（図５参照）。
【００３９】
［動画・広告配信サーバ１のハードウェア構成］
本実施形態に係る動画・広告配信サーバ１は、コンピュータ及びその周辺装置に適用される。動画・広告配信サーバ１における各部は、コンピュータ及びその周辺装置が備えるハードウェア並びに該ハードウェアを制御するソフトウェアによって構成される。
【００４０】
上記ハードウェアには、制御部１０としてのＣＰＵ（Ｃｅｎｔｒａｌ  Ｐｒｏｃｅｓｓｉｎｇ  Ｕｎｉｔ）、及び記憶部２０の他、通信装置、表示装置及び入力装置が含まれる。記憶部２０としては、例えば、メモリ（ＲＡＭ：Ｒａｎｄｏｍ  Ａｃｃｅｓｓ  Ｍｅｍｏｒｙ、ＲＯＭ：Ｒｅａｄ  Ｏｎｌｙ  Ｍｅｍｏｒｙ等）、ハードディスクドライブ（ＨＤＤ：Ｈａｒｄ  Ｄｉｓｋ  Ｄｒｉｖｅ）、及び光ディスク（ＣＤ：Ｃｏｍｐａｃｔ  Ｄｉｓｋ、ＤＶＤ：Ｄｉｇｉｔａｌ  Ｖｅｒｓａｔｉｌｅ  Ｄｉｓｋ等）ドライブが挙げられる。通信装置としては、例えば、各種有線及び無線インターフェース装置が挙げられる。表示装置としては、例えば、液晶ディスプレイ、プラズマディスプレイ等の各種ディスプレイが挙げられる。入力装置としては、例えば、キーボード及びポインティング・デバイス（マウス、トラッキングボール等）が挙げられる。
【００４１】
上記ソフトウェアには、上記ハードウェアを制御するコンピュータ・プログラムやデータが含まれる。コンピュータ・プログラムやデータは、記憶部２０により記憶され、制御部１０により適宜実行、参照される。また、コンピュータ・プログラムやデータは、通信回線を介して配布されることも可能であり、ＣＤ−ＲＯＭ等のコンピュータ可読媒体に記録して配布されることも可能である。
【００４２】
［ユーザ端末５のハードウェア構成］
ユーザ端末５も、上述の動画・広告配信サーバ１と同様な構成を持つ。また、上述の例ではいわゆるコンピュータで実現した例について説明したが、更に、本発明の原理が適用可能である限り、携帯電話、ＰＤＡ（Ｐｅｒｓｏｎａｌ  Ｄａｔａ  Ａｓｓｉｓｔａｎｔ）等の様々な端末で実現してよい。
【００４３】
［記憶部２０に格納された各ＤＢ］
〈動画ＤＢ２１〉
図２は、本実施形態に係る記憶部２０に格納された動画ＤＢ２１を示す図である。
動画ＤＢ２１には、動画ＩＤと、動画と、キーワードと、転向点とが対応付けられ記憶されている。
動画ＩＤは、動画毎にそれぞれ対応付けられているＩＤである。
動画は、通信ネットワーク３を介して、配信可能な動画データである。
キーワードは、各動画で再生される複数のキーワードである。このキーワードには、音声で再生されるものや、画像で表示されるものや、動画に出てくる商品や話題等に対応して記憶したキーワードや、更には、各コンテンツのメタタグも含む。
転向点は、関連度上昇率判定手段１２２（図１参照）が関連度上昇率が低下し始めたと判定した時点である。
累積関連度閾値は、キーワードについて関連度の高い配信指定キーワードについて閾値受付手段で受付けた値であり、例えば、各動画における各キーワードの登場した総繰り返し回数に対して実際に登場した繰り返し回数の割合で示される。
【００４４】
〈広告ＤＢ２２〉
図３は、本実施形態に係る記憶部２０に格納された広告ＤＢ２２を示す図である。
広告ＤＢ２２には、広告ＩＤと、広告ＵＲＬと、配信指定キーワードと、閾値とが対応付けられ記憶されている。
広告ＩＤは、広告毎にそれぞれ対応付けられているＩＤである。
広告ＵＲＬは、当該広告のリンク先を示すものである。広告は、動画映像に限らず、音声、文字表示、またはベクターグラフィックスのアニメーションとすることができる。
配信指定キーワードは、広告主または広告配信業者が配信を希望するキーワードを配信指定キーワードとして受付ける指定キーワード受付手段で受付けたキーワードである。
閾値は、配信指定キーワードについて閾値を受付ける閾値受付手段で受付けた値であり、例えば、各動画における各キーワードの登場した総繰り返し回数に対して実際に登場した繰り返し回数の割合で示される。
【００４５】
〈広告挿入動画ＤＢ２３〉
図４は、本実施形態に係る記憶部２０に格納された広告挿入動画ＤＢ２３を示す図である。
広告挿入動画ＤＢ２３には、動画ＩＤと、広告挿入動画と、広告枠と、広告ＵＲＬとが対応付けられ記憶されている。
動画ＩＤは、動画毎にそれぞれ対応付けられているＩＤである。
広告挿入動画は、通信ネットワーク３を介して、配信可能な動画データであり、広告枠に広告が挿入された動画データである。
広告枠は、各動画において、予め開始時間と終了時間が定められた時間枠であり、広告が挿入される枠である。
広告ＵＲＬは、当該広告のリンク先を示すものである。また、広告ＵＲＬには、対応する広告枠の開始時間において、累積関連度の閾値を超えていないと判定された場合、ユーザ端末５あるいはユーザの属性に関連する属性関連広告を挿入することを示す値（例えば、０）が対応付けられる。
【００４６】
〈ユーザ属性ＤＢ２４〉
図５は、本実施形態に係る記憶部２０に格納されたユーザ属性ＤＢ２４を示す図である。
ユーザ属性ＤＢ２４には、ユーザ属性ＩＤと、属性関連広告ＵＲＬとが対応付けられ記憶されている。
ユーザ属性ＩＤは、ユーザ端末の属性あるいはユーザの属性毎にそれぞれ対応付けられているＩＤである。
属性関連広告ＵＲＬは、各ユーザの属性に関連する広告のリンク先を示すものである。
【００４７】
［制御部１０の制御フロー］
次に、制御部１０（ＣＰＵ１０１０）の制御フローについて説明する。
【００４８】
〈動画・広告配信処理〉
図６は、本実施形態に係る制御部１０による動画・広告配信処理を示すフローチャートである。
【００４９】
ステップＳ１では、広告枠決定処理を行う。この処理において、制御部１０は、動画ＤＢ２１（図２参照）に記憶された各動画について、広告開始時間と広告終了時間とが指定された広告枠を決定する制御を行う。このような処理を行う制御部１０は、広告枠決定手段の一例として機能する。
【００５０】
ステップＳ２では、累積関連度算出処理を行う。この処理において、制御部１０の演算部１１は、累積関連度算出手段１１１によって、動画ＤＢ２１（図２参照）に記憶された動画の再生時間の経過に応じて、複数のキーワード毎の繰り返し回数をそれぞれ累積計算して得られる累積関連度（例えば、図８のグラフ曲線１１１ａ，１１１ｂ）を算出する。
【００５１】
ステップＳ３では、上昇率算出処理を行う。この処理において、制御部１０の演算部１１は、上昇率算出手段１１２によって、動画ＤＢ２１（図２参照）に記憶された動画の再生時間の経過に応じて、累積関連度算出手段１１１により算出された当該動画の累積関連度を微分して得られる関連度上昇率（例えば、図８の傾き線１１２ａ〜１１２ｄ）を算出する。
【００５２】
ステップＳ４では、関連度上昇率判定処理を行う。この処理において、制御部１０の演算部１１は、関連度上昇率判定手段１２２によって、動画ＤＢ２１（図２参照）に記憶された動画の再生時間の経過に応じて、各キーワードについて、上昇率算出手段１１２に算出された関連度上昇率が低下し始めたか否かを判定し、関連度上昇率が低下し始めたと判定した経過時間を、そのキーワードの転向点として決定する。
【００５３】
ステップＳ５では、累積関連度閾値決定処理を行う。この処理において、制御部１０の演算部１１は、累積関連度の閾値判定手段１２１によって、広告主または広告配信業者が配信を希望するキーワードを配信指定キーワードとして受付け、この配信指定キーワードについて閾値を受付け、受付けた配信指定キーワードの閾値に基づいて計算される累積関連度の閾値を決定する。
【００５４】
このような処理を行う制御部１０は、広告主または広告配信業者が配信を希望するキーワードを配信指定キーワードとして受付ける指定キーワード受付手段、配信指定キーワードについての閾値を受付ける閾値受付手段と、閾値受付手段で受付けた配信指定キーワードの閾値に基づいて計算される累積関連度の閾値を決定する累積関連度閾値決定手段、及び動画の再生において、累積関連度算出手段によって算出されたキーワードの累積関連度が、累積関連度閾値決定手段で決定した累積関連度の閾値を超えたか否かを判定する判定手段の一例として機能する。
【００５５】
ステップＳ６では、広告決定処理を行う。この処理において、制御部１０の演算部１１は、広告決定手段１２３によって、ステップＳ１で決定した広告枠に挿入する広告を決定する制御を行う。詳しくは、図７を用いて後述する。
【００５６】
ステップＳ７では、広告挿入動画生成・保存処理を行う。この処理において、制御部１０の演算部１１は、広告挿入手段１２４によって、ステップＳ１で決定した広告枠に、ステップＳ６で決定した広告または属性関連広告を挿入することを示す値を挿入し、広告挿入動画ＤＢ２３（図４参照）に記憶する。
【００５７】
ステップＳ８では、広告挿入動画配信処理を行う。この処理において、制御部１０の演算部１１は、動画・広告配信手段１２５によって、ユーザ端末５の動画の要求に基づき、広告挿入動画ＤＢ２３（図４参照）を参照し、広告挿入動画を当該ユーザ端末５に配信する。また、動画・広告配信手段１２５は、広告挿入動画ＤＢ２３において、広告枠に属性関連広告を挿入することを示す値（例えば、０）が対応付けられる場合、ユーザ属性ＤＢ２４（図５参照）を参照して、当該広告枠に当該ユーザ端末５の属性に関連する属性関連広告を挿入する。
【００５８】
［制御部１０における広告決定処理の制御フロー］
次に、制御部１０（ＣＰＵ１０１０）における広告決定処理の制御フローについて説明する。
【００５９】
〈広告決定処理〉
図７は、本実施形態に係る制御部１０による広告決定処理のサブフローを示すフローチャートである。
【００６０】
ステップＳ６１では、累積関連度が閾値を超えたか否かを判定する処理を行う。この処理において、制御部１０の演算部１１は、広告決定手段１２３によって、動画ＤＢ２１（図２参照）に記憶された動画の再生時間の経過に応じ、ステップＳ５の累積関連度閾値決定処理（図６参照）で決定した累積関連度の閾値を超えたか否かを判定する。演算部１１は、累積関連度の閾値を超えたと判定した場合には、ステップＳ６２に処理を移し、超えたと判定しない場合には、ステップＳ６４に処理を移す。
【００６１】
ステップＳ６２では、転向点後か否かを判定する処理を行う。この処理において、制御部１０の演算部１１は、広告決定手段１２３によって、動画ＤＢ２１（図２参照）に記憶された動画の再生時間の経過に応じ、ステップＳ４の関連度上昇率判定処理（図６参照）で決定した転向点後か否かを判定する。演算部１１は、転向点後と判定した場合には、ステップＳ６３に処理を移し、転向点後と判定しない場合には、ステップＳ６４に処理を移す。
【００６２】
ステップＳ６３では、配信指定キーワード関連広告決定処理を行う。この処理において、制御部１０の演算部１１は、広告決定手段１２３によって、ステップＳ１の広告枠決定処理（図６参照）において決定した広告枠の広告開始時間において、累積関連度の閾値を超え、かつ転向点後と判定したキーワードに関連度の高い配信指定キーワードに関連付けられた広告を、当該広告枠に挿入する広告として決定する。また、配信指定キーワード関連広告決定処理では、累積関連度の閾値を超え、かつ転向点後と判定したキーワードが複数存在する場合、累積関連度の絶対値が大きいキーワードに関連度の高い配信指定キーワードに関連付けられた広告、当該広告枠に挿入する広告として決定する。
【００６３】
ステップＳ６４では、ユーザ属性枠決定処理を行う。この処理において、制御部１０の演算部１１は、広告決定手段１２３によって、ステップＳ１の広告枠決定処理（図６参照）において決定した広告枠に、ユーザ端末５あるいはユーザの属性に関連する属性関連広告を挿入することを示す値（例えば、０）を対応付ける。
【００６４】
［広告挿入ロジックの一例］
次に、広告挿入ロジックについて一例を挙げて説明する。
【００６５】
図８は、本実施形態に係る累積関連度と関連度上昇率の説明図である。
累積関連度は、上述のとおり、累積関連度算出手段１１１（図１参照）により、動画の再生時間の経過に応じて、複数のキーワード毎の繰り返し回数をそれぞれ累積計算して得たものである。また、関連度上昇率は、上昇率算出手段１１２により（図１参照）、累積関連度を微分して得たものである。
【００６６】
図８は、動画ＩＤ１１１（図２参照）について、横軸を動画の再生時間とし、縦軸を累積関連度としたグラフである。
グラフ曲線１１１ａ（実線）は、動画の再生時間の経過に応じて、キーワードＡの繰り返し回数を累積計算して得たものである。また、グラフ曲線１１１ｂ（点線）は、動画の再生時間の経過に応じて、キーワードＢの繰り返し回数を累積計算して得たものである。
【００６７】
図８において、傾き線１１２ｂ〜１１２ｄは、キーワードＡの関連度上昇率が低下し始めた時点の関連度上昇率を示している。そして、これらの時点であるｔ２〜ｔ４は、キーワードＡの転向点となる。
また、傾き線１１２ａは、キーワードＢの関連度上昇率が低下し始めた時点の関連度上昇率を示している。そして、この時点であるｔ１は、キーワードＢの転向点となる。
【００６８】
更に、図８では、キーワードＡの累積関連度の閾値（例えば、６０％）が、横軸方向に伸びる点線で示されている。また、キーワードＢの累積関連度の閾値（例えば、３０％）が、キーワードＡの閾値より低い値として横軸方向に伸びる点線で示されている。
【００６９】
図９は、本実施形態に係る広告挿入ロジックの説明図である。
本一例では、キーワードＡを例えばｍｏｂｉｌｅとし、キーワードＢを例えばｃａｒとして説明する。
また、キーワードＡ（ｍｏｂｉｌｅ）に関連度の高い配信指定キーワードＡを例えば携帯電話とし、キーワードＢ（ｃａｒ）に関連度の高い配信指定キーワードＢを例えば車として説明する。
【００７０】
図９は、転向点ｔ１〜ｔ４と広告枠♯１〜♯４の時間的な前後関係を示している。すなわち、図９では、動画ＩＤ１１１（図２参照）について、図面上部から下部に向けて再生時間が流れるタイムラインに図８で示した転向点ｔ１〜ｔ４を表し、このタイムラインを中心とし、このタイムラインに沿って、左側に動画ＩＤ１１１のコンテンツを示し、右側に広告枠♯１〜♯４のタイミングを示している。
【００７１】
広告枠♯１直前の動画コンテンツには、携帯電話（ｍｏｂｉｌｅ）と街を走る車（ｃａｒ）のイメージが表示がされている。
広告枠♯１は、その開始時間が、キーワードＡ（ｍｏｂｉｌｅ）、Ｂ（ｃａｒ）とも転向点ｔ１〜ｔ４以前なので、広告決定手段１２３によるユーザ属性枠決定処理（図７参照）により、属性関連広告を挿入することを示す値（例えば、０）を対応付けられる（図４の広告挿入動画ＤＢ参照）。
【００７２】
広告枠♯２直前の動画コンテンツには、街を液晶画面に表示する携帯電話（ｍｏｂｉｌｅ）のイメージが表示がされている。
広告枠♯２は、その開始時間が、キーワードＢ（ｃａｒ）の閾値を超え、かつ転向点ｔ１の後であり、更に、キーワードＡの転向点ｔ２，３の後であるがキーワードＡ（ｍｏｂｉｌｅ）の閾値を超えていない。よって、広告枠♯２には、広告決定手段１２３による配信指定キーワード関連広告決定処理（図７参照）により、キーワードＢに関連度の高い配信指定キーワードＢ（車）に関連付けられた広告ＩＤ００２（例えば、車の広告）が挿入される（図３参照）。
【００７３】
広告枠♯３直前の動画コンテンツには、鳥を液晶画面に表示する携帯電話（ｍｏｂｉｌｅ）のイメージが表示がされている。
広告枠♯３は、その開始時間が、キーワードＡ（ｍｏｂｉｌｅ）の閾値を超え、かつ転向点ｔ４の後である。よって、広告枠♯３には、広告決定手段１２３による配信指定キーワード関連広告決定処理（図７参照）により、キーワードＡに関連度の高い配信指定キーワードＡ（携帯電話）に関連付けられた広告ＩＤ００１（例えば、携帯電話の広告）が挿入される（図３参照）。
【００７４】
広告枠♯４直前の動画コンテンツには、自然のイメージが表示がされている。
広告枠♯４は、その開始時間が、キーワードＡ、Ｂともそれぞれの閾値を超え、かつ転向点ｔ１〜ｔ４の後であり、更に、キーワードＡ、Ｂのそれぞれに関連度の高い配信指定キーワードＡ、Ｂに関連付けられた広告ＩＤ００１、００２がそれぞれ１回ずつ挿入されるている。よって、広告枠♯４には、広告決定手段１２３による配信指定キーワード関連広告決定処理（図７参照）により、累積関連度の絶対値が大きいキーワードＢに関連度の高い配信指定キーワードＢに関連付けられた広告ＩＤ００２が挿入される（図３参照）。
【００７５】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００７６】
本発明の実施形態では、広告を動画に挿入して、ユーザ端末５に配信しているが、本発明はこれに限定されず、ユーザ端末５に配信する表示画面において、動画とは別に広告を挿入して配信することができる。
【符号の説明】
【００７７】
１      動画・広告配信サーバ１
５      ユーザ端末
２１    動画ＤＢ
２２    広告ＤＢ
１１１  累積関連度算出手段
１１２  上昇率算出手段
１２５  動画・広告配信手段
【図１】
2011034481.tif 000003
【図２】
2011034481.tif 000004
【図３】
2011034481.tif 000005
【図４】
2011034481.tif 000006
【図５】
2011034481.tif 000007
【図６】
2011034481.tif 000008
【図７】
2011034481.tif 000009
【図８】
2011034481.tif 000010
【図９】
2011034481.tif 000011